(57)【要約】  【課題】  電子カルテサーバと看護用携帯端末とが通信できない状態でも医療情報を参照可能とする。  【解決手段】  無線ＬＡＮアクセスポイント３によって電波送信された医療情報を一時保存する一時保存部４２と、無線ＬＡＮアクセスポイント３から送信される電波の受信状態を監視する受信状態監視部４３と、受信状態監視部４３によって監視される電波の受信状態に基づいて無線ＬＡＮアクセスポイント３によって送信される医療情報と一時保存部４２によって一時保存される医療情報とを切替制御する制御部４５とを備える。【選択図】      図２
2006024049.tif 000002
【特許請求の範囲】
【請求項１】
看護に必要な医療情報を蓄積する電子カルテサーバと、
この電子カルテサーバに接続され前記電子カルテサーバに蓄積された医療情報を電波で送信するアクセスポイント手段と、
このアクセスポイント手段によって電波送信された医療情報を受信する看護用携帯端末と、を備えた看護支援システムにおいて、
前記看護用携帯端末は、
前記アクセスポイント手段によって電波送信された医療情報を一時保存する一時保存手段と、
前記アクセスポイント手段から送信される電波の受信状態を監視する受信状態監視手段と、
この受信状態監視手段によって監視される電波の受信状態に基づいて前記アクセスポイント手段によって送信される医療情報と前記一時保存手段によって一時保存される医療情報とを切替制御する制御手段と、
を備えたことを特徴とする看護支援システム。
【請求項２】
前記受信状態監視手段によって監視される電波の受信状態が前記看護用携帯端末の操作者により参照可能に表示される受信状態表示手段と、
この受信状態表示手段によって参照表示される電波の受信状態から前記操作者によって前記制御手段を作動させる手段と、
を備えたことを特徴とする請求項１に記載の看護支援システム。
【請求項３】
前記制御手段は、前記アクセスポイント手段によって電波送信される医療情報と前記一時保存手段によって保存される医療情報とを比較する情報比較手段を備え、
この情報比較手段によって比較された更新情報のみを前記一時保存手段に保存させることを特徴とする請求項１又は請求項２の何れか１項に記載の看護支援システム。
【請求項４】
前記制御手段は、前記アクセスポイント手段によって電波送信される医療情報と前記一時保存手段によって保存される医療情報とを比較する情報比較手段を備え、
この情報比較手段によって比較された更新情報のみを前記アクセスポイント手段を介して前記電子カルテサーバに送信させることを特徴とする請求項１又は請求項２の何れか１項に記載の看護支援システム。
【発明の詳細な説明】
【技術分野】
【０００１】
本発明は、電子カルテサーバと無線ローカルエリアネットワーク(LAN)等の電波を介して接続される看護用端末を備えた看護支援システムに関する。
【背景技術】
【０００２】
従来、看護支援システムは、特許文献1に記載されたように、看護師にPDA(Personal Digital Assistance)等の携帯端末を携行させ、入院病棟のいたる所においても、電子カルテサーバ(以下、単に「サーバ」ともいう)にアクセス可能とするものがある。これによれば、病室など病棟内のいたる所においても、医療情報の参照、若しくは新たな情報の入力が可能となるため、適切な看護処置の効率化を図れ、医療の質の向上を促せることになる。
【特許文献１】特開平09-34908号公報
【発明の開示】
【発明が解決しようとする課題】
【０００３】
しかしながら、上記特許文献1では、アクセスポイントの設置が不十分であったり、院内で電波が伝播しにくい所であったりすれば、サーバと看護用携帯端末が無線通信できない状態となるため、看護に必要な医療情報が利用不可となり、看護に支障をきたすことがあるということについて全く配慮されていない。
【０００４】
本発明の目的は、電子カルテサーバと看護用携帯端末とが通信できない状態でも医療情報を参照することができる看護支援システムを提供することにある。
【課題を解決するための手段】
【０００５】
上記目的は、看護に必要な医療情報を蓄積する電子カルテサーバと、この電子カルテサーバに接続され前記電子カルテサーバに蓄積された医療情報を電波で送信するアクセスポイント手段と、このアクセスポイント手段によって電波送信された医療情報を受信する看護用携帯端末と、を備えた看護支援システムにおいて、前記看護用携帯端末は、前記アクセスポイント手段によって電波送信された医療情報を一時保存する一時保存手段と、前記アクセスポイント手段から送信される電波の受信状態を監視する受信状態監視手段と、この受信状態監視手段によって監視される電波の受信状態に基づいて前記アクセスポイント手段によって送信される医療情報と前記一時保存手段によって一時保存される医療情報とを切替制御する制御手段と、を備えたことによって達成される。
これによって、電子カルテサーバと看護用携帯端末とが通信できない状態でも医療情報を参照することができるようになる。
【０００６】
また、前記受信状態監視手段によって監視される電波の受信状態が前記看護用携帯端末の操作者により参照可能に表示される受信状態表示手段と、この受信状態表示手段によって参照表示される電波の受信状態から前記操作者によって前記制御手段を作動させる手段と、を備えてもよい。
これによって、操作者は看護用携帯端末の電波の受信状況が良くない場所であれば、早めに察知して一時保存手段に最新の医療情報を保存させることができるので、その操作により看護用携帯端末には常に最新の医療情報を保存させることができる。
【０００７】
また、前記制御手段は、前記アクセスポイント手段によって電波送信される医療情報と前記一時保存手段によって保存される医療情報とを比較する情報比較手段を備え、この情報比較手段によって比較された更新情報のみを前記一時保存手段に保存させてもよい。
これによって、前記電子カルテサーバによって更新された医療情報のみが前記アクセスポイント手段を介して前記看護用携帯端末に送信することになるから、無線が一時途切れて復旧したときなどに前記看護用携帯端末に要するデータ更新時間を最小限にすることができる。
【０００８】
また、前記制御手段は、前記アクセスポイント手段によって電波送信される医療情報と前記一時保存手段によって保存される医療情報とを比較する情報比較手段を備え、この情報比較手段によって比較された更新情報のみを前記アクセスポイント手段を介して前記電子カルテサーバに送信させてもよい。
これによって、看護師等の操作者が病室の患者の体温などのバイタルデータなどを入力したときに、前記看護用携帯端末の前記一時保存手段に保存し、その保存されたバイタルデータを電波復旧と共に、前記アクセスポイント手段を介して前記電子カルテサーバへ送信することができるので、操作者の操作性を向上させることができる。
【発明の効果】
【０００９】
本発明によれば、電子カルテサーバと看護用携帯端末とが通信できない状態でも医療情報を参照することができる。
【発明を実施するための最良の形態】
【００１０】
本発明の看護支援システムの実施形態について図面を用いて説明する。
図1は本発明の看護支援システムの各実施形態に共通する構成例を示す図である。
看護支援システムは、図1に示されるように、サーバ1と、サーバ1に接続されるLAN2と、LAN2と電気的に接続される無線LANアクセスポイント3と、無線LANアクセスポイント3から送信される電波を介して通信可能に接続されるPDA4，5とを有する。
【００１１】
サーバ1は電子化されたカルテや医用画像など医療情報を保管する。例えば、サーバ1は、外来患者、及び入院患者の基本情報(名前、連絡先等)や、各患者の医療情報(診療録、看護録、薬歴等)等が保管されている。LAN2はサーバ1と、図示を省略した電子カルテを入力する電子カルテ端末、X線装置、X線CT装置、MRI装置などの各種医用画像診断装置、などが相互に通信可能に接続されるものである。
無線LANアクセスポイント3は主にサーバ1に記憶されている医療情報を送受信するものである。
PDA4，5は看護師が携帯する看護用携帯端末で、無線LANアクセスポイント3を介してLAN2に接続されるサーバ1に記憶される医療情報が看護師によって参照できるようになっている。また、PDA4，5は患者の体温などのバイタルデータの入力器でもある。この入力されたバイタルデータは無線LANアクセスポイント3を介してサーバ1に送信され、その送信されたバイタルデータ等の更新がされるようになっている。ここでは、PDA4，5のうちのPDA4のみを代表して説明することとする。
【００１２】
また、サーバ1に記憶される医療情報にアクセスするには、PDA4〜6から無線LANアクセスポイント3を通じてアクセスすることになる。この際、不正利用者からのアクセスを防止するため、ID−パスワード方式や、ICカード方式、若しくは生体認証(指紋、虹彩、顔、静脈パターン、サイン、声紋等)方式のユーザ認証手段により、正式な利用者であるか否かを識別することが望ましい。
また、サーバ1と端末4の通信情報の漏洩を防止するため、通信情報の暗号化を行う。さらに、電子カルテサーバ内の情報にどのようなアクセスがあったかを逐次記録し、不正なアクセスの有無を後で検証する。また、突発的な事故等により、サーバのディスクの破損によるデータ消失の被害を最小限にするため、サーバの多重化してバックアップをとっておくと運用上の信頼性が向上する。
【００１３】
次に、第1の実施形態を説明するためのPDAの構成例について図2を用いて説明する。
図2は図1のPDAの第1の実施形態を説明するための構成例である。
PDA4は、図2に示すように、無線通信部41と、無線通信部41と電気的に接続される一時保存部42、受信状態監視部43と、無線通信部41、一時保存部42、受信状態監視部43、表示部44のそれぞれと電気的に接続される制御部45とを有している。
【００１４】
無線通信部41はサーバと医療情報を送受信する。一時保存部42は無線通信部41によって受信されるサーバからの医療情報を一時保存する。受信状態監視部43は無線LANアクセスポイント3からの電波の受信状況を監視する。具体的には、電波の受信レベルに閾値を設定し、電波の受信状況がその閾値を下回ったら受信状態が悪化したと判定し、その判定に基づきサーバ1から看護用端末への看護に必要な医療情報を一時保存する。表示部44は無線通信部41によって受信された医療情報と一時保存部42によって一時保存された医療情報を選択的に表示する。制御部45は無線通信部41の医療情報の送受、一時保存部42の一時保存、受信状態監視部43の受信状態監視、表示部44に表示される医療情報の選択をそれぞれ制御する。
【００１５】
次に、第1の実施形態の動作例について図3，図4を用いて説明する。
図3は第1の実施形態の動作例を説明するフローチャート、図4は図3の主要ステップでの表示例を示す図である。
制御部45は、受信状態監視部43に受信状態を監視させる。受信状態監視部43は、無線LANアクセスポイント3からの電波の受信状況を監視する。
電波の受信状態が良好であれば、図4(a)のように、無線LANアクセスポイント3から受信する医療情報がそのまま表示される。(ステップ31)
【００１６】
制御部45は、受信状態監視部43に受信状態を引き続き監視させ、その受信状態が所定の閾値以下になったか否かを判定する。判定の結果、閾値以下となったらステップ33へ進み、閾値を越えていれば、ステップ36へ進む。(ステップ32)
制御部45は、看護に必要な医療情報を無線LANアクセスポイント3から一時保存部42へ保存させる。その際には、図4(b)のように、メッセージを表示したり、アラームを鳴らしたりして、一時保存処理が終了するまで電波の受信状況を変えないように、操作者に注意を喚起する。(ステップ33)
【００１７】
制御部45は、受信状態監視部43に受信状態を引き続き監視させ、無線通信が可能であるか否かを判定する。判定の結果、無線通信が可能であればステップ36に進み、無線通信が不可能であればステップ35に進む。ここで、無線通信が不可となる場面として、病室に入ったときを想定している。(ステップ34)
制御部45は、医療情報の参照を無線LANアクセスポイント3から一時保存部42へ切り替える。(ステップ35)
制御部45は、医療情報の参照を無線LANアクセスポイント3に維持する。(ステップ36)
【００１８】
制御部45は、操作者の操作等によりデータ表示の指示があるか否かを判定する。判定の結果、指示があればステップ38に進み、指示がなければステップ31に戻る。(ステップ37)
表示部44は、その時点で接続されている無線LANアクセスポイント3又は一時保存部42からの医療情報を表示する。図4(c)は一時保存部42に保存された医療情報の表示例である。(ステップ38)
【００１９】
この第1の実施形態によれば、無線LANアクセスポイント3によって電波送信された医療情報を一時保存する一時保存部42と、無線LANアクセスポイント3から送信される電波の受信状態を監視する受信状態監視部43と、受信状態監視部43によって監視される電波の受信状態に基づいて無線LANアクセスポイント3によって送信される医療情報と一時保存部42によって一時保存される医療情報とを切替制御する制御部45とを備えているから、サーバ1と看護用携帯端末4とが通信できない状態でも医療情報を参照することができる。
【００２０】
次に、第2の実施形態のPDAの構成について図5を用いて説明する。
図5は、図1のPDAの第2の実施形態を説明するための構成例である。
上記第1の実施形態では、操作者(看護師)は自動的に無線LANアクセスポイント3を介してサーバ1からの医療情報を一時保存させることができるが、電波の受信状態が急激に悪化した場合など、操作者が意図的に一時保存させたい場合もある。そこで、第2の実施形態では、図5に示されるように、第1の実施形態のPDA4に制御部45と電気的に接続される開始スイッチ46を設けている。開始スイッチ46は、携帯端末上にハードスイッチを設けても良いし、携帯端末の画面上にソフトスイッチを設けても良い。開始スイッチ46は操作者の入力によって無線通信部41によって受信された医療情報と一時保存部42によって一時保存された医療情報を制御部45に選択させるものである。
【００２１】
また、受信状況監視部43と表示部44は電気的に接続され、無線LANアクセスポイント3からの電波の受信状態が表示されるようになっている。その受信状態は例えば、図示するように「8／10」といった比率で表示してもよいが、携帯電話のようなゲージ表示をしてもよい。
【００２２】
次に、第2の実施形態の動作例について図6，図7を用いて説明する。
図6は第2の実施形態の動作例を説明するフローチャート、図7は図6の主要ステップでの表示例を示す図である。
制御部45は、受信状態監視部43に受信状態を監視させ、その監視状態を表示部に表示させる。
電波の受信状態が良好であれば、図7(a)のように、無線LANアクセスポイント3から受信する医療情報がそのまま表示される。しかし、図7(a)のように、電波の受信状態が悪化したら、操作者はその受信状態の表示を参照し、一時保存開始の開始スイッチ46を入力する(ステップ61)
【００２３】
制御部45は、開始スイッチ46に入力されているか否かを判定し、その判定の結果、入力されていればステップ63に進み、入力されていなければステップ64に進む。(ステップ62)
制御部45は、看護に必要な医療情報を無線LANアクセスポイント3から一時保存部42へ保存させる。その際には、図7(b)のように、メッセージを表示したり、アラームを鳴らしたりして、一時保存処理が終了するまで電波の受信状況を変えないように、操作者に注意を喚起する。(ステップ63)
【００２４】
制御部45は、受信状態監視部43に受信状態を引き続き監視させ、無線通信が可能であるか否かを判定する。判定の結果、無線通信が可能であればステップ66に進み、無線通信が不可能であればステップ65に進む。ここで、無線通信が不可となる場面として、病室に入ったときを想定している。(ステップ64)
制御部45は、医療情報の参照を無線LANアクセスポイント3から一時保存部42へ切り替える。(ステップ65)
【００２５】
制御部45は、医療情報の参照を無線LANアクセスポイント3に維持する。(ステップ66)
制御部45は、操作者の操作等によりデータ表示の指示があるか否かを判定する。判定の結果、指示があればステップ68に進み、指示がなければステップ61に戻る。(ステップ67)
表示部44は、その時点で接続されている無線LANアクセスポイント3又は一時保存部42からの医療情報を表示する。図7(c)は一時保存部42に保存された医療情報の表示例である。(ステップ68)
【００２６】
この第2の実施形態によれば、受信状態監視部43によって監視される電波の受信状態がPDA4の操作者により参照可能に表示される表示部44と、表示部44によって参照表示される電波の受信状態から前記操作者によって制御部45を作動させる開始スイッチ46と、を備えたことで、操作者は看護用携帯端末の電波の受信状況が良くない場所であれば、早めに察知して一時保存手段に最新の医療情報を保存させることができるので、その操作により看護用携帯端末には常に最新の医療情報を保存させることができる。
【００２７】
次に、第3の実施形態のPDAの構成について図8を用いて説明する。
図8は、図1のPDAの第3の実施形態を説明するための構成例である。
上記第1の実施形態では、操作者は自動的に無線LANアクセスポイント3を介してサーバ1からの医療情報を一時保存させることができるが、電波の受信状態が復旧したとき、サーバ1には医師からのその患者に対する指示とか、PDA4には看護師によって入力されたバイタルデータとかが入力されていることが想定される。そこで、第3の実施形態では、図8に示されるように、第1の実施形態のPDA4に無線通信部41、一時保存部42及び制御部45と電気的に接続される比較部47を設けている。比較部47は、無線通信部41によって受信された医療情報と一時保存部42によって一時保存された医療情報を比較し、その比較結果を制御部４５に出力する。
【００２８】
次に、第3の実施形態の動作例について図9，図10を用いて説明する。
図9は第3の実施形態の動作例を説明するフローチャート、図10は図9の主要ステップでの表示例を示す図である。
制御部45は、一時保存部42に無線通信部41から出力される医療情報を一時保存させる。ここでは、図10(a)に表示されているような医療情報が保存されているとする。(ステップ91)
【００２９】
制御部45は、電波の受信状態が復旧するなどしたら、無線LANアクセスポイント3を介してサーバ1からの医療情報を無線通信部41に取り込む。ここでは図10(b)に表示されているような医療情報が医師によって更新されているとする。(ステップ92)
制御部45は、無線通信部41によって受信された医療情報と一時保存部42によって保存された医療情報を比較部47に比較させる。その比較の結果、線通信部41によって受信された医療情報と一時保存部42によって保存された医療情報に差があるか否かを判定する。その判定の結果、差があればステップ94に進み、差がなければステップ95に進む。(ステップ93)
【００３０】
制御部45は、比較部47の差に基づき、その差の分だけ一時保存支部42に更新する。(ステップ94)
制御部45は、操作者の操作等によりデータ表示の指示があるか否かを判定する。判定の結果、指示があればステップ96に進み、指示がなければステップ92に戻る。(ステップ95)
表示部44は、その時点で接続されている無線LANアクセスポイント3又は一時保存部42からの更新保存された医療情報を表示する。(ステップ96)
【００３１】
この第3の実施形態によれば、制御部45は、無線LANアクセスポイント3によって電波送信される医療情報と一時保存部42によって保存される医療情報とを比較する比較部47を備え、比較部47によって比較された更新情報のみを一時保存部42に保存させてもよい。
これによって、サーバ1によって更新された医療情報のみが無線LANアクセスポイント3を介してPDA4に送信することになるから、無線が一時途切れて復旧したときなどにPDA4に要するデータ更新時間を最小限にすることができる。
【００３２】
また、上記とは逆に、制御手段は、無線LANアクセスポイント3によって電波送信される医療情報と一時保存部42によって保存される医療情報とを比較する比較部47を備え、比較部47によって比較された更新情報のみを無線LANアクセスポイント3を介してサーバ1に送信させてもよい。
これによって、看護師等の操作者が病室の患者の体温などのバイタルデータなどを入力したときに、PDA4の一時保存部42に保存し、その保存されたバイタルデータを電波復旧と共に、無線LANアクセスポイント3を介してサーバ1へ送信することができるので、操作者の操作性を向上させることができる。
【００３３】
以上説明した各実施形態は、本発明を実施するための一例を開示したに過ぎない。従って、特許請求の範囲の各請求項に記載される機能、方法、それらにより導き出される結果が同じであれば、上記実施形態に開示されていなくとも本発明の技術範囲に含まれる。
【図面の簡単な説明】
【００３４】
【図１】本発明の看護支援システムの各実施形態に共通する構成例を示す図。
【図２】図1のPDAの第1の実施形態を説明するための構成例。
【図３】第1の実施形態の動作例を説明するフローチャート。
【図４】図3の主要ステップでの表示例を示す図。
【図５】図1のPDAの第2の実施形態を説明するための構成例。
【図６】第2の実施形態の動作例を説明するフローチャート。
【図７】図6の主要ステップでの表示例を示す図。
【図８】図1のPDAの第3の実施形態を説明するための構成例。
【図９】第3の実施形態の動作例を説明するフローチャート。
【図１０】図9の主要ステップでの表示例を示す図。
【符号の説明】
【００３５】
３…無線LANアクセスポイント、４２…一時保存部、４３…受信状態監視部、４５…制御部
【図１】
2006024049.tif 000003
【図２】
2006024049.tif 000004
【図３】
2006024049.tif 000005
【図４】
2006024049.tif 000006
【図５】
2006024049.tif 000007
【図６】
2006024049.tif 000008
【図７】
2006024049.tif 000009
【図８】
2006024049.tif 000010
【図９】
2006024049.tif 000011
【図１０】
2006024049.tif 000012